【手続補正書】
【提出日】平成26年7月1日(2014.7.1)
【手続補正１】
【補正対象書類名】明細書
【補正対象項目名】０１０７
【補正方法】変更
【補正の内容】
【０１０７】
本発明の範囲及び趣旨から逸脱しない本発明の様々な変更や改変は、当業者には明らかとなるであろう。本発明の実施態様の一部を以下の項目１−２７に列記する。
[１]
（ａ）
（ａ１）第１エポキシ樹脂と、
（ａ２）第２エポキシ樹脂と、
を含む、エポキシ樹脂成分であって、ここで、前記第２エポキシ樹脂がポリウレタン変性エポキシ樹脂、イソシアネート変性エポキシ樹脂、及びこれらの組み合わせからなる群から選択される、エポキシ樹脂成分と；
（ｂ）アミン１モル当量につき少なくとも５０グラムのアミン当量を有する第１アミン硬化剤と；
（ｃ）アミン１モル当量につき４５グラム以下のアミン当量を有する第２アミン硬化剤と；
（ｄ）アセトアセトキシ官能性化合物と；
（ｅ）金属塩触媒と；
（ｆ）多官能性アクリレートと；
を含む、接着剤。
[２]
前記エポキシ樹脂成分が更に、
（ａ３）第３エポキシ樹脂
を含み、前記第３エポキシ樹脂が少なくとも１つのエポキシ系反応性希釈剤を含む、項目１に記載の接着剤。
[３]
前記第３エポキシ樹脂が、６．５時間以下の時間で、前記第３エポキシ樹脂と接触させた場合に、プラスチック基材の膨潤又は溶解により測定されるものとして、ポリカーボネート、アクリロニトリル−ブタジエン−スチレン、又はこれらの組み合わせからなる群から選択される１つ以上のプラスチック基材に対し非常に高い親和性を示す、項目２に記載の接着剤。
[４]
多官能性アクリレート及びアセトアセトキシ官能性化合物を組み合わせた量が、前記接着剤の少なくとも１１重量％を構成する、項目１〜３のいずれか一項目に記載の接着剤。
[５]
前記多官能性アクリレートと前記アセトアセトキシ官能性化合物の比が、多官能性アクリレート８０重量部：アセトアセトキシ官能性化合物２０重量部〜多官能性アクリレート２０重量部：アセトアセトキシ官能性化合物８０重量部の範囲である、項目１〜４のいずれか一項目に記載の接着剤。
[６]
前記第１アミン硬化剤のアミン当量が、アミン１モル当量につき少なくとも５５グラムである、項目１〜５のいずれか一項目に記載の接着剤。
[７]
前記第２アミン硬化剤のアミン当量が、アミン１モル当量につき４０グラム以下である、項目１〜６のいずれか一項目に記載の接着剤。
[８]
前記第１エポキシ樹脂が、ビスフェノール−Ａのグリシジルエーテル、ビスフェノール−Ｆのグリシジルエーテル、又はノボラックのグリシジルエーテルを含む、項目１〜７のいずれか一項目に記載の接着剤。
[９]
前記アミン硬化剤のうちの少なくとも１つが、一般式：
【化８】
2013535561.tif 000001
を有し、式中、
Ｒ１、Ｒ２、及びＲ４は独立して、水素、炭素原子を１〜１５個含有する炭化水素、及び炭素原子を１〜１５個含有するポリエーテルから選択され、
Ｒ３は炭素原子を１〜１個含有する炭化水素であるか、又は炭素原子を１〜１５個含有するポリエーテルを表し、
ｎは包括的に１〜１０である、項目１〜８のいずれか一項目に記載の接着剤。
[１０]
低当量アミン硬化剤及び高当量アミン硬化剤の相対量が、前記低当量のアミン硬化剤が前記低当量及び高当量アミン硬化剤の合計重量の少なくとも２５重量％を構成するように選択される、項目１〜９のいずれか一項目に記載の接着剤。
[１１]
低当量アミン硬化剤及び高当量アミン硬化剤の相対量が、前記低当量アミン硬化剤が前記低当量及び高当量アミン硬化剤の合計重量の３０〜６０重量％（３０及び６０重量％を含む）を構成するように選択される、項目１〜１０のいずれか一項目に記載の接着剤。
[１２]
前記アセトアセトキシ官能性化合物が、一般式：
【化９】
2013535561.tif 000002
を有し、式中、
ｘは１〜１０の整数であり、
ＹはＯ、Ｓ又はＮＨを表し、
Ｒ６はポリオキシ基、ポリエステル−アルキル、−アリール、及び−アルキルアリール、並びに直鎖、分枝鎖、飽和及び不飽和アルキル−、アリール−、及びアルキルアリール基からなる群から選択され、Ｒ６は炭素原子を介しＹに結合し、
Ｒ７は炭素原子を１〜１２個有する直鎖若しくは分岐鎖又は環状アルキルである、項目１〜１１のいずれか一項目に記載の接着剤。
[１３]
前記金属塩触媒がカルシウムトリフラートを含む、項目１〜１２のいずれか一項目に記載の接着剤。
[１４]
前記接着剤が、組成物の総重量に対して０．３〜１．５重量％の触媒を含む、項目１〜１３のいずれか一項目に記載の接着剤。
[１５]
前記接着剤が靱性付与剤を更に含む、項目１〜１４のいずれか一項目に記載の接着剤。
[１６]
前記靱性付与剤が、コアシェル型ポリマー及びブタジエン−ニトリルゴムの少なくとも一方を含む、項目１４に記載の接着剤。
[１７]
芳香族第３級アミンを更に含む、項目１〜１６のいずれか一項目に記載の接着剤。
[１８]
前記接着剤が２成分を含み、
（ａ）第１成分は、
（ｉ）前記アセトアセトキシ官能性化合物と、
（ｉｉ）前記多官能性アクリレートと、
（ｉｉｉ）少なくとも一部の前記エポキシ樹脂成分と、
を含み、
（ｂ）第２成分は、
（ｉ）前記第１アミン硬化剤と、
（ｉｉ）前記第２アミン硬化剤と、
（ｉｉｉ）前記金属塩触媒と、
を含む、項目１〜１７のいずれか一項目に記載の接着剤。
[１９]
前記第２成分が、更に一部の前記エポキシ樹脂成分を含む、項目１７に記載の接着剤。
[２０]
前記第１成分が、前記少なくとも１つのエポキシ系反応性希釈剤を含む第３エポキシ樹脂を更に含む、項目１７又は１８に記載の接着剤。
[２１]
前記接着剤が、前記第１成分の総重量に基づき１６重量％超のアセトアセトキシ官能性化合物を含む、項目１７〜１９のいずれか一項目に記載の接着剤。
[２２]
２５℃下でゲル化時間試験方法に従って測定した場合に、前記接着剤のゲル化時間が２０分以下である、項目１〜２１のいずれか一項目に記載の接着剤。
[２３]
２２℃で硬化させ、強度増加速度試験方法に従って測定した場合に、前記接着剤の２０分以内の重なりせん断値が少なくとも０．３ＭＰａである、項目１〜２２のいずれか一項目に記載の接着剤。
[２４]
２２℃で硬化させ、強度増加速度試験方法に従って測定した場合に、前記接着剤の３０分以内の重なりせん断値が少なくとも０．３４ＭＰａである、項目２２に記載の接着剤。
[２５]
２液型接着剤の第１成分を収容する第１チャンバと、前記２液型接着剤の第２成分を収容する第２チャンバと、混合用先端部と、を含む、接着剤ディスペンサーであって、前記第１成分及び前記第２成分が前記混合用先端部を通じて流れるように、前記第１チャンバ及び前記第２チャンバが前記混合用先端部に連結され、前記第１成分は、エポキシ樹脂、ポリウレタン変性又はイソシアネート変性エポキシ樹脂、多官能性アクリレート、及びアセトアセトキシ官能性化合物を含み、前記第２成分は、アミン１モル当量につき少なくとも５０ｇのアミン当量を有する第１のアミン硬化剤、アミン１モル当量につき４５ｇ以下のアミン当量を有する第２アミン硬化剤、及び金属塩触媒を含む、接着剤ディスペンサー。
[２６]
前記第１成分が更に少なくとも１つのエポキシ系反応希釈剤を含む、項目２４に記載の接着剤ディスペンサー。
[２７]
前記第１又は第２の成分の少なくとも一方が靱性付与剤を更に含み、前記靱性付与剤がコアシェル型ポリマー及びブタジエン−ニトリルゴムの少なくとも一方を含む、項目２４又は２５に記載の接着剤ディスペンサー。
【手続補正２】
【補正対象書類名】特許請求の範囲
【補正対象項目名】全文
【補正方法】変更
【補正の内容】
【特許請求の範囲】
【請求項１】
（ａ）
（ａ１）第１エポキシ樹脂と、
（ａ２）第２エポキシ樹脂と、
を含む、エポキシ樹脂成分であって、ここで、前記第２エポキシ樹脂がポリウレタン変性エポキシ樹脂、イソシアネート変性エポキシ樹脂、及びこれらの組み合わせからなる群から選択される、エポキシ樹脂成分と；
（ｂ）アミン１モル当量につき少なくとも５０グラムのアミン当量を有する第１アミン硬化剤と；
（ｃ）アミン１モル当量につき４５グラム以下のアミン当量を有する第２アミン硬化剤と；
（ｄ）アセトアセトキシ官能性化合物と；
（ｅ）金属塩触媒と；
（ｆ）多官能性アクリレートと；
を含む、接着剤。
【請求項２】
前記接着剤が２成分を含み、
（ａ）第１成分は、
（ｉ）前記アセトアセトキシ官能性化合物と、
（ｉｉ）前記多官能性アクリレートと、
（ｉｉｉ）少なくとも一部の前記エポキシ樹脂成分と、
を含み、
（ｂ）第２成分は、
（ｉ）前記第１アミン硬化剤と、
（ｉｉ）前記第２アミン硬化剤と、
（ｉｉｉ）前記金属塩触媒と、
を含む、請求項１に記載の接着剤。
【請求項３】
２液型接着剤の第１成分を収容する第１チャンバと、前記２液型接着剤の第２成分を収容する第２チャンバと、混合用先端部と、を含む、接着剤ディスペンサーであって、前記第１成分及び前記第２成分が前記混合用先端部を通じて流れるように、前記第１チャンバ及び前記第２チャンバが前記混合用先端部に連結され、前記第１成分は、エポキシ樹脂、ポリウレタン変性又はイソシアネート変性エポキシ樹脂、多官能性アクリレート、及びアセトアセトキシ官能性化合物を含み、前記第２成分は、アミン１モル当量につき少なくとも５０ｇのアミン当量を有する第１のアミン硬化剤、アミン１モル当量につき４５ｇ以下のアミン当量を有する第２アミン硬化剤、及び金属塩触媒を含む、接着剤ディスペンサー。